(57)【要約】      （修正有）【課題】複雑なネットワークを構成しなくても、通信端末を保持するユーザに対して必要な消耗品情報を提供することができる消耗品情報管理システム及びサーバを提供する。【解決手段】無線送信装置は、消耗品が有する消耗品記憶部に記憶される消耗品識別情報を取得し、消耗品識別情報を送信する。通信端末は、消耗品識別情報を受信すると、消耗品識別情報をサーバへ送信し、消耗品に関連する消耗品情報の配信を要求し、サーバから受信した消耗品情報を出力する。サーバは、消耗品識別情報に対応する消耗品情報を関連付けて記憶し、通信端末より消耗品識別情報を受信すると、サーバ記憶部から消耗品識別情報に対応する消耗品情報を読み出し、通信端末に消耗品情報を配信する。【選択図】図２
2017059867.tif 000002
【特許請求の範囲】
【請求項１】
装置に用いられる消耗品から前記消耗品を識別するための消耗品識別情報を取得して送信する無線送信装置と、前記無線送信装置から前記消耗品識別情報を受信可能な通信端末と、前記通信端末と通信可能なサーバと、を含む消耗品情報管理システムであって、
前記無線送信装置は、
前記消耗品が有する消耗品記憶部に記憶される消耗品識別情報を取得する情報取得部と、
前記消耗品識別情報を送信する情報送信部と、を備え、
前記通信端末は、
前記無線送信装置から前記消耗品識別情報を受信する情報受信部と、
前記消耗品識別情報を前記サーバへ送信し、前記消耗品に関連する消耗品情報の配信を要求する端末側通信部と、
前記サーバから受信する前記消耗品情報を出力する出力部と、を備え、
前記サーバは、
前記消耗品識別情報に対応する前記消耗品情報を関連付けて記憶するサーバ記憶部と、
前記通信端末より前記消耗品識別情報を受信すると、前記サーバ記憶部から前記消耗品識別情報に対応する前記消耗品情報を読み出し、前記通信端末に前記消耗品情報を配信するサーバ側通信部と、を備える
消耗品情報管理システム。
【請求項２】
前記消耗品情報には、前記消耗品が正規品であるか非正規品であるかを示す情報、前記消耗品の購入に関する情報が含まれ、
前記通信端末は、前記サーバから配信された前記消耗品情報に前記消耗品が前記非正規品であることを示す情報が含まれている場合には、前記消耗品が前記非正規品であることを示す情報と共に、前記消耗品の購入に関する情報を前記出力部に出力する
請求項１に記載の消耗品情報管理システム。
【請求項３】
前記無線送信装置は、
前記装置又は前記無線送信装置を識別するための装置識別情報を記憶する送信装置記憶部を備え、
前記情報送信部は、前記消耗品識別情報と共に前記装置識別情報を送信し、
前記通信端末は、前記情報受信部が受信した記消耗品識別情報及び前記装置識別情報を、前記端末側通信部から前記サーバに送信し、
前記サーバは、前記装置識別情報を前記消耗品識別情報に関連付けた消耗品管理情報を前記サーバ記憶部に記憶し、前記通信端末から受信した前記消耗品識別情報及び前記装置識別情報に対応する前記消耗品管理情報を前記通信端末に配信する
請求項１に記載の消耗品情報管理システム。
【請求項４】
前記消耗品管理情報には、前記消耗品の使用が開始された日時、前記消耗品の寿命、前記消耗品を使用可能な残時間が含まれ、
前記通信端末は、前記サーバから配信された前記消耗品管理情報に、前記消耗品の寿命までの残時間が規定値未満であることが示されている場合には、前記消耗品の寿命と共に、前記消耗品の購入に関する情報を前記出力部に出力する
請求項３に記載の消耗品情報管理システム。
【請求項５】
前記無線送信装置は、前記消耗品識別情報に対応する前記消耗品情報を関連付けて記憶する無線送信装置記憶部と、
前記消耗品が正規品又は非正規品であるか否かを判定する判定部と、を備え、
前記情報送信部は、前記無線送信装置記憶部から読み出した前記消耗品識別情報に対応する前記消耗品情報と共に、前記判定部による判定結果を送信し、
前記通信端末は、前記無線送信装置から受信した前記消耗品情報及び前記判定結果を前記出力部に出力する
請求項１に記載の消耗品情報管理システム。
【請求項６】
前記通信端末は、前記消耗品識別情報に対応する前記消耗品情報を関連付けて記憶する通信端末記憶部を備え、
前記出力部には、前記通信端末記憶部から読み出された、前記情報受信部が受信した前記消耗品識別情報に対応する前記消耗品情報が出力される
請求項１に記載の消耗品情報管理システム。
【請求項７】
前記無線送信装置は、前記装置に対して着脱可能に取り付けられ、又は前記装置から離して配置される
請求項１〜６のいずれか１項に記載の消耗品情報管理システム。
【請求項８】
前記消耗品記憶部は、前記消耗品識別情報を記憶した無線タグであり、
前記情報取得部は、前記消耗品記憶部から非接触で前記消耗品識別情報を読み取る無線タグリーダである
請求項１〜７のいずれか１項に記載の消耗品情報管理システム。
【請求項９】
装置に用いられる消耗品から前記消耗品を識別するための消耗品識別情報を取得した無線送信装置からの前記消耗品識別情報を受信可能な通信端末と通信可能なサーバであって、
前記サーバは、
前記消耗品識別情報に対応する消耗品情報を関連付けて記憶するサーバ記憶部と、
前記通信端末に前記消耗品情報を配信するサーバ側通信部と、を備え、
前記サーバ側通信部は、前記通信端末が前記無線送信装置から取得した前記消耗品識別情報を、前記通信端末を経由して受信すると、前記サーバ記憶部から前記消耗品識別情報に関連する前記消耗品情報を読み出し、前記通信端末に前記消耗品情報を配信する
サーバ。
【発明の詳細な説明】
【技術分野】
【０００１】
本発明は、例えば、浄水装置等の装置に取り付けられる消耗品の情報を管理するための消耗品情報管理システム及びサーバに関する。
【背景技術】
【０００２】
定期的に交換することが必要な消耗品が取り付けられる様々な装置が家庭内、オフィス等で用いられている。このような装置の一例として浄水装置があり、消耗品の一例として浄水フィルタがある。装置を使用するユーザは、消耗品の使用開始年月を記入したラベルを消耗品又は装置に貼り付けることにより、消耗品の使用期限を把握していた。近年では、消耗品に特定の情報を記憶する記憶装置を設け、この記憶装置から消耗品の情報を取得する装置も提供されている。
【０００３】
例えば、特許文献１には、個々のプリンタが夫々ネットワーク上の管理装置と通信可能に接続された監視システムが開示されている。各プリンタは、自らに取り付けられた消耗品（トナーカートリッジ）の記憶装置（接触式不揮発性メモリ、ＩＣチップ、バーコード等）から、消耗品に関する情報を読み取り、管理装置に送信する。そして、管理装置は、プリンタに取り付けられた消耗品が純正品であるか否かを判定する。
【先行技術文献】
【特許文献】
【０００４】
【特許文献１】特開２０１３−１０１４３７号公報
【発明の概要】
【発明が解決しようとする課題】
【０００５】
ところで、特許文献１に開示されたような構成を実現するためには、消耗品を用いる一般的な装置に対して、消耗品の情報を取得する機能と、ネットワークに接続する機能とを組み込む必要がある。そのためには、大掛かりなネットワークの構築や、装置の製造段階における各種機能の組み込み等が必要となる。
【０００６】
また、本来は電力供給を必要としない、電気を使わない装置（例えば、フィルタ式浄水器等）であっても、この装置がネットワークと通信を行うためには電力を供給することが必要となる。
【０００７】
本発明はこのような状況に鑑みて成されたものであり、装置の種類にかかわらず、装置に取り付けられる消耗品の情報を取得することを目的とする。
【課題を解決するための手段】
【０００８】
本発明に係る消耗品情報管理システムは、装置に用いられる消耗品から消耗品を識別するための消耗品識別情報を取得して送信する無線送信装置と、無線送信装置から消耗品識別情報を受信可能な通信端末と、通信端末と通信可能なサーバと、を含む。
無線送信装置は、消耗品が有する消耗品記憶部に記憶される消耗品識別情報を取得する情報取得部と、消耗品識別情報を送信する情報送信部と、を備える。
通信端末は、無線送信装置から消耗品識別情報を受信する情報受信部と、消耗品識別情報をサーバへ送信し、消耗品に関連する消耗品情報の配信を要求する端末側通信部と、サーバから受信する消耗品情報を出力する出力部と、を備える。
サーバは、消耗品識別情報に対応する消耗品情報を関連付けて記憶するサーバ記憶部と、通信端末より消耗品識別情報を受信すると、サーバ記憶部から消耗品識別情報に対応する消耗品情報を読み出し、通信端末に消耗品情報を配信するサーバ側通信部と、を備える。
【発明の効果】
【０００９】
本発明によれば、装置に電力を供給しなくとも、無線送信装置から装置に用いられる消耗品の消耗品識別情報が送信される。そして、通信端末は、消耗品識別情報をサーバに送信し、サーバから配信される消耗品情報を受信することで、出力部に消耗品情報を出力することが可能である。このため、複雑なネットワークを構成しなくても、通信端末を保持するユーザに対して必要な消耗品情報を提供することができる。
上記した以外の課題、構成及び効果は、以下の実施の形態例の説明により明らかにされる。
【図面の簡単な説明】
【００１０】
【図１】本発明の第１の実施の形態例に係る消耗品情報管理システムの全体構成例を示す概略図である。
【図２】本発明の第１の実施の形態例に係る消耗品情報管理システムの各部の詳細な内部構成例を示すブロック図である。
【図３】本発明の第１の実施の形態例に係る無線送信装置の処理例を示すフローチャートである。
【図４】本発明の第１の実施の形態例に係る消耗品情報管理システムの全体の動作例を示すシーケンス図である。
【図５】本発明の第１の実施の形態例に係る消耗品情報のデータ構造の例を示す説明図である。
【図６】本発明の第１の実施の形態例に係る消耗品情報の表示例を示す説明図である。
【図７】本発明の第２の実施の形態例に係る消耗品情報管理システムの各部の詳細な内部構成例を示すブロック図である。
【図８】本発明の第２の実施の形態例に係る消耗品管理情報のデータ構造の例を示す説明図である。
【図９】本発明の第２の実施の形態例に係る消耗品管理情報の表示例を示す説明図である。
【図１０】本発明の第２の実施の形態例に係る消耗品情報管理システムの各部の詳細な内部構成例を示すブロック図である。
【図１１】本発明の第３の実施の形態例に係る無線送信装置の処理例を示すフローチャートである。
【図１２】本発明の実施の形態の変形例に係る消耗品情報管理システムの各部の詳細な内部構成例を示すブロック図である。
【発明を実施するための形態】
【００１１】
以下、本発明を実施するための形態例について、添付図面を参照して説明する。本明細書及び図面において、実質的に同一の機能又は構成を有する構成要素については、同一の符号を付することにより重複する説明を省略する。
【００１２】
［１．第１の実施の形態例］
始めに、図１及び図２を参照して、本発明の第１の実施の形態例に係る消耗品情報管理システムについて説明する。
図１は、消耗品情報管理システム１の全体構成例を示す概略図である。
図２は、消耗品情報管理システム１の詳細な内部構成例を示すブロック図である。
【００１３】
消耗品情報管理システム１は、装置２、無線送信装置３、通信端末５、管理サーバ６を備える。装置２には、ビーコン信号を送信する無線送信装置３が着脱可能に取り付けられている。無線送信装置３は、装置２の筐体外側に取り付け可能な形状とする。通信端末５は、無線送信装置３が送信するビーコン信号の電波到達範囲内にあれば、無線送信装置３からビーコン信号を受信する。そして、通信端末５と管理サーバ６とは、ネットワークＮを介してデータを送受信する。
【００１４】
始めに、装置２の構成について説明する。
装置２は、例えば、キッチンに組み込まれて用いられる浄水装置であり、水道配管に設置される。そして、装置２には、交換可能な消耗品４として、例えば、水道水から微生物等の不純物を取り除くことが可能な浄水フィルタが取り付けられる。水道配管を通水される原水は、消耗品４を通過することで浄水される。
【００１５】
消耗品４には、消耗品記憶部４１が取り付けられている。この消耗品記憶部４１として、例えば、ＲＦＩＤ（radio frequency identifier）技術を利用したＲＦＩＤタグ等の無線タグが用いられる。消耗品記憶部４１には、消耗品４に一意に割り振られ、消耗品４を識別するための消耗品識別情報４１ａが記憶されている。
【００１６】
次に、無線送信装置３の構成について説明する。
無線送信装置３は、装置２に用いられる消耗品４から消耗品識別情報４１ａを取得して、消耗品識別情報４１ａを含むビーコン信号を、近距離無線通信により通信端末５に無線送信する。
【００１７】
無線送信装置３は、読み取り部３１、近距離無線送信部３２を備える。
読み取り部３１（情報取得部の一例）は、装置２に消耗品４が取り付けられると、消耗品記憶部４１から読み取った消耗品識別情報４１ａを取得する。読み取り部３１として、例えば、消耗品記憶部４１から非接触で消耗品識別情報４１ａを読み取り可能なＲＦＩＤリーダ等の無線タグリーダが用いられる。
近距離無線送信部３２（情報送信部の一例）は、読み取り部３１が読み取った消耗品識別情報４１ａを含むビーコン信号を送信する。
【００１８】
ユーザは、消耗品識別情報４１ａを受信可能な通信端末５を保持している。この通信端末５は、無線送信装置３から送信されるビーコン信号を受信し、このビーコン信号から消耗品識別情報４１ａを取得することが可能である。そして、通信端末５は、ネットワークＮを介して管理サーバ６に消耗品識別情報４１ａを転送し、消耗品情報の配信を要求する。また、通信端末５は、管理サーバ６から受信した消耗品情報を出力部５５に出力する。このように、消耗品識別情報４１ａに対応して管理サーバ６の消耗品情報データベース６２ａから読み出された消耗品情報のレコードを「消耗品情報」と呼ぶ。
【００１９】
管理サーバ６（サーバの一例）は、ネットワークＮを介して通信端末５から消耗品識別情報４１ａを受信する。そして、管理サーバ６は、通信端末５から消耗品情報の配信要求を受けると、通信端末５から受信した消耗品識別情報４１ａに対応する消耗品情報を通信端末５に配信する。この消耗品情報には、消耗品４が正規品であるか非正規品であるかを示す情報が含まれている。
【００２０】
無線送信装置３が備える読み取り部３１は、装置２に消耗品４が取り付けられたときに、消耗品記憶部４１に記憶される消耗品識別情報４１ａを取得する。このとき、読み取り部３１は、読み取り電波を発信し、消耗品記憶部４１が電磁誘導により送信した消耗品識別情報４１ａを受信する。そして、読み取り部３１は、消耗品記憶部４１から受信した消耗品識別情報４１ａを近距離無線送信部３２に渡す。
【００２１】
近距離無線送信部３２は、読み取り部３１が消耗品４から読み取った消耗品識別情報４１ａを含むビーコン信号を、無線送信装置３の周囲に周期的に送信する。近距離無線送信部３２と、通信端末５との間で用いられる通信規格としては、例えば、Ｂｌｕｅｔｏｏｔｈ（登録商標）やＢＬＥ（Bluetooth Low Energy）等の近距離無線通信規格が適している。例えば、ＢＬＥ規格に対応する無線送信装置３は、近距離無線送信部３２から消耗品識別情報４１ａを含むビーコン信号を含むアドバタイジングデータをビーコン信号としてブロードキャストにより無線送信装置３の周囲に送信する。
【００２２】
このようにＢＬＥ技術を用いてビーコン信号を送信する無線送信装置３は、電力消費が少ない。また、近距離無線送信部３２に対する電力供給は無線送信装置３が内蔵する不図示の電池等で賄うことができるため、簡単な構成でありながら無線送信装置３が消耗品識別情報４１ａを含むビーコン信号を送信する機能を実現可能である。
【００２３】
次に、通信端末５の構成について説明する。
通信端末５は、近距離無線受信部５１、処理部５２、記憶部５３、端末側通信部５４、出力部５５、入力部５６を備える。
【００２４】
近距離無線受信部５１（情報受信部の一例）は、近距離無線送信部３２から送信されたビーコン信号を受信し、このビーコン信号から消耗品識別情報４１ａを取得する。
処理部５２は、記憶部５３から読み出したアプリケーションプログラムを実行することにより、通信端末５内の各部の動作を制御する。この処理部５２は、近距離無線受信部５１が受信したビーコン信号に含まれる消耗品識別情報４１ａを解析するとともに、管理サーバ６に消耗品識別情報４１ａを送信して、管理サーバ６に消耗品識別情報４１ａの解析を行う。
記憶部５３（通信端末記憶部の一例）には、処理部５２が実行するアプリケーションプログラム、パラメータ、各種データが記憶される。この記憶部５３は、例えば、ＲＡＭ、ＲＯＭ等として用いられる記憶媒体によって構成されている。
【００２５】
端末側通信部５４は、処理部５２が管理サーバ６との間でデータの送受信を行う際におけるネットワークＮのインタフェースとして用いられる。ネットワークＮとして、例えば、無線ＬＡＮ（Local Area Network）が用いられる。この端末側通信部５４は、近距離無線受信部５１が無線送信装置３から受信した消耗品識別情報４１ａを管理サーバ６に送信し、管理サーバ６に消耗品情報の配信を要求する。また、端末側通信部５４は、管理サーバ６からネットワークＮを介して受信する消耗品情報を処理部５２に渡す。
【００２６】
出力部５５は、処理部５２の制御により、端末側通信部５４が管理サーバ６から受信した消耗品情報を出力する。この出力部５５は、装置２に取り付けられた消耗品４が正規品又は非正規品のいずれであるかをユーザに通知したり、消耗品４の消耗品寿命や消耗品４の販売サイトへのリンク情報を画面に表示したりする。なお、出力部５５が出力する情報には、文字、画像の他、通信端末５の振動やアラーム、音声メッセージの発生等も含まれる。
【００２７】
入力部５６は、ユーザによる操作を受け付ける。この入力部５６は、通信端末５の筐体に配置された不図示のボタン、スイッチの他に、画面タッチ（タップ）によって行われた操作入力の内容を処理部５２に出力する。なお、通信端末５では、入力部５６と出力部５５は、操作面と表示面とを重ねたタッチパネルディスプレイとして用いられている。
【００２８】
次に、管理サーバ６の構成について説明する。
管理サーバ６は、サーバ側通信部６１、記憶部６２を備える。
【００２９】
サーバ側通信部６１は、通信端末５との間でデータの送受信を行う際におけるネットワークＮのインタフェースとして用いられる。そして、サーバ側通信部６１は、ネットワークＮを通じて通信端末５の端末側通信部５４と相互に通信可能である。サーバ側通信部６１は、通信端末５より消耗品識別情報４１ａを受信すると、記憶部６２から消耗品識別情報４１ａに対応する消耗品情報を読み出し、通信端末５に消耗品情報を配信する。
【００３０】
記憶部６２（サーバ記憶部の一例）は、消耗品識別情報４１ａに対応する消耗品情報を関連付けて記憶する消耗品情報データベース６２ａ（図中では、「消耗品情報ＤＢ」と略記）を備える。消耗品情報データベース６２ａのテーブル構成は、図５に示される。この記憶部６２としては、例えば、ＨＤＤ（Hard Disk Drive）等の大容量の記憶装置が用いられる。
【００３１】
次に、無線送信装置３と、消耗品情報管理システム１全体の動作例について、図３と図４を参照して説明する。
図３は、無線送信装置３の処理例を示すフローチャートである。
【００３２】
始めに、無線送信装置３は、装置２に消耗品４が取り付けられたことを検知する（Ｓ１）。例えば、装置２には、消耗品４が取り付けられるとオン信号を出力するプッシュボタンが設けられており、読み取り部３１にオン信号が入力すると、読み取り部３１、近距離無線送信部３２が以下の動作を開始する。
【００３３】
読み取り部３１は、消耗品４の消耗品記憶部４１の読み取り動作を開始する（Ｓ２）。そして、読み取り部３１は、消耗品記憶部４１から消耗品識別情報４１ａを取得できたか否かを判定する（Ｓ３）。
【００３４】
読み取り部３１が消耗品識別情報４１ａを取得できた場合（Ｓ３のＹＥＳ）、近距離無線送信部３２は、消耗品識別情報が設定されるビーコン信号の所定領域に消耗品識別情報４１ａを設定する（Ｓ４）。一方、読み取り部３１が消耗品識別情報４１ａを取得できなかった場合（Ｓ３のＮＯ）、近距離無線送信部３２はビーコン信号の所定領域に「Ｅ−０００（情報なし）」を設定する（Ｓ５）。
【００３５】
そして、近距離無線送信部３２は、消耗品識別情報が設定される所定領域に特定の値が設定されたビーコン信号を送信する（Ｓ６）。この送信は、所定時間継続して、又は、所定間隔毎に繰り返し行われる。
【００３６】
図４は、消耗品情報管理システム１の全体の動作例を示すシーケンス図である。消耗品情報管理システム１は、無線送信装置３、通信端末５、管理サーバ６の各コンピュータがプログラムを実行することにより、以下に示す消耗品情報管理方法を実現する。
【００３７】
始めに、無線送信装置３が行う、消耗品記憶部４１の読み取り、消耗品識別情報４１ａの取得、ビーコン信号の送信の各処理（Ｓ１１〜Ｓ１３）は、図３に示したステップＳ１〜Ｓ６までの処理を含むため、詳細な説明は省略する。
【００３８】
ステップＳ１３の後、通信端末５の端末側通信部５４は、近距離無線受信部５１が無線送信装置３から受信したビーコン信号より取得した消耗品識別情報４１ａを、ネットワークＮを介して管理サーバ６に送信する（Ｓ１４）。
【００３９】
管理サーバ６のサーバ側通信部６１は、通信端末５から消耗品識別情報４１ａを受信すると、記憶部６２の消耗品情報データベース６２ａから消耗品識別情報４１ａに対応する消耗品情報を取得する（Ｓ１５）。そして、サーバ側通信部６１は、取得した消耗品情報を通信端末５に配信する（Ｓ１６）。上述したように、消耗品情報には、消耗品４が正規品又は非正規品であることを示す情報が含まれている。
【００４０】
通信端末５の端末側通信部５４は、管理サーバ６から受信した消耗品情報を処理部５２に渡す。そして、処理部５２は、消耗品情報を出力部５５の表示画面に表示する（Ｓ１７）。このとき、通信端末５は、消耗品４が正規品又は非正規品であることを示す情報と共に、消耗品４の購入に関する情報を出力部５５に出力する。
【００４１】
図５は、消耗品情報データベース６２ａのデータ構造の例を示す説明図である。消耗品情報データベース６２ａは、無線送信装置３が送信するビーコン信号を一意に識別するためのビーコン識別情報毎に作成されるものとする。
【００４２】
消耗品情報データベース６２ａは、消耗品識別情報、消耗品情報の各フィールドによって構成される。
消耗品識別情報フィールドには、消耗品４毎に割り振られる消耗品識別情報が格納される。
消耗品情報フィールドには、消耗品４に関連する各種の情報が格納される。
【００４３】
消耗品情報フィールドは、種類、消耗品寿命、購入情報の各フィールドによって構成される。
種類フィールドには、消耗品４が正規品又は非正規品であることを示す情報として、例えば、正規の消耗品４のメーカ名等を含む消耗品４の種類の情報が格納される。消耗品識別情報４１ａから消耗品４の種類を特定できない場合には、「Ｎ／Ａ」が格納される。種類フィールドに「Ｎ／Ａ」が格納された消耗品４は、非正規品であることを意味している。
消耗品寿命フィールドには、正規の消耗品４の寿命が格納される。消耗品４が非正規品である場合には、消耗品４の寿命は分からないため、消耗品寿命フィールドに値は格納されない。
購入情報フィールドには、消耗品４の購入に関する情報が含まれる。この情報として、例えば、消耗品４が正規品であれば、消耗品４を追加購入するための販売サイトへのリンク（ＵＲＬ等の所在情報）等が格納される。また、消耗品４が非正規品であれば、正規品の消耗品４が販売される販売サイトへのリンク等が格納される。
【００４４】
図６は、消耗品情報の表示例を示す説明図である。
【００４５】
図６Ａには、装置２に設置された消耗品４が正規品である場合に表示される画面の表示例が示される。このとき、通信端末５の出力部５５には、消耗品識別情報表示エリア５５ａ、消耗品情報表示エリア５５ｂ、注文ボタン５５ｃが表示される。
【００４６】
消耗品識別情報表示エリア５５ａには、消耗品４が正規品であることを示す情報として、消耗品４の種類、消耗品識別情報４１ａ等が表示される。
消耗品情報表示エリア５５ｂには、消耗品寿命が表示される。
注文ボタン５５ｃには、販売サイトへのリンクが張られている。ユーザが注文ボタン５５ｃをタップすることで、注文ボタン５５ｃに張られた販売サイトにアクセスし、消耗品４を注文することが可能となる。
【００４７】
図６Ｂには、装置２に設置された消耗品４が非正規品である場合に表示される画面の表示例が示される。このとき、通信端末５の出力部５５には、警告表示エリア５５ｄ、注意喚起表示エリア５５ｅ、注文ボタン５５ｆが表示される。
【００４８】
警告表示エリア５５ｄには、消耗品４が非正規品であることを示す情報として、装置２に使用されている消耗品４が非正規品であることをユーザに通知するメッセージが表示される。
注意喚起表示エリア５５ｅには、非正規品である消耗品４を使用することによる影響をユーザに通知するメッセージが表示される。
注文ボタン５５ｆには、販売サイトへのリンクが張られている。ユーザが注文ボタン５５ｆをタップすることで、注文ボタン５５ｆに張られた正規品の販売サイトにアクセスし、正規の消耗品４を注文することが可能となる。
【００４９】
以上説明した第１の実施の形態例に係る消耗品情報管理システム１によれば、装置２に無線送信装置３を取り付ける簡単な構成であり、装置２をネットワークＮに接続する必要はない。このため、既存の装置２に無線送信装置３を組み込むだけで、消耗品情報管理システム１を構成することができる。
【００５０】
また、無線送信装置３は、消耗品４の消耗品識別情報４１ａを含むビーコン信号を送信する。そして、ビーコン信号を受信した通信端末５は、ビーコン信号から取り出した消耗品識別情報４１ａを管理サーバ６に送信し、管理サーバ６から配信された消耗品情報を出力部５５に出力することができる。これにより、通信端末５を保持するユーザは、消耗品４に対応する消耗品情報の内容を容易に確認することができる。
【００５１】
また、消耗品４が正規品であれば、出力部５５に消耗品情報が出力され、消耗品４が非正規品であれば、ユーザに正規の消耗品４を使用する旨を通知するメッセージが出力される。これにより、ユーザに正規の消耗品４の購入を促すことが可能となる。
【００５２】
なお、無線送信装置３の読み取り部３１が消耗品識別情報４１ａを読み取り、近距離無線送信部３２がビーコン信号を送信するタイミングには３通りのパターンが考えられる。
（１）装置２に消耗品４が取り付けられたときにだけビーコン信号を送信する。
（２）装置２に消耗品４が取り付けられている間はビーコン信号を送信し続ける。
（３）装置２が使用されている時だけ（例えば、通水されたとき）、ビーコン信号を送信する。例えば、装置２に水流センサを設けることで通水されたことを検知する。
本実施の形態例では、（１）のパターンで無線送信装置３が動作しているが、（２）、（３）のパターンで無線送信装置３が動作してもよい。
【００５３】
［２．第２の実施の形態例］
次に、本発明の第２の実施の形態例に係る消耗品情報管理システム１Ａについて説明する。消耗品情報管理システム１Ａでは、無線送信装置３Ａが自身に割り振られたビーコン識別情報を含むビーコン信号を送信することにより、装置２に取り付けられた消耗品４毎に特有の消耗品情報及び消耗品管理情報を、通信端末５を保持するユーザに提供することができる。
【００５４】
図７は、消耗品情報管理システム１Ａの各部の詳細な内部構成例を示すブロック図である。
【００５５】
消耗品情報管理システム１Ａは、消耗品情報管理システム１と同様に装置２、通信端末５、管理サーバ６を備える。
装置２に取り付けられる無線送信装置３Ａは、読み取り部３１、近距離無線送信部３２の他に、記憶部３３を備える。
記憶部３３（無線送信装置記憶部の一例）には、装置２又は無線送信装置３Ａを識別するために一意に割り振られる装置識別情報３３ａが記憶されている。この装置識別情報３３ａは、無線送信装置３Ａ又は装置２を識別するために用いられる。
【００５６】
近距離無線送信部３２は、装置２に消耗品４が取り付けられると、読み取り部３１が消耗品記憶部４１から読み取った消耗品識別情報４１ａと共に、記憶部３３から読み出した装置識別情報３３ａをビーコン信号の所定領域に設定し、このビーコン信号を送信する。
【００５７】
通信端末５の近距離無線受信部５１は、受信したビーコン信号から消耗品識別情報４１ａと装置識別情報３３ａとを取り出す。端末側通信部５４は、消耗品識別情報４１ａと装置識別情報３３ａを管理サーバ６に送信する。
【００５８】
管理サーバ６のサーバ側通信部６１は、通信端末５から消耗品識別情報４１ａと装置識別情報３３ａを受信する。
管理サーバ６の記憶部６２は、上述した消耗品情報データベース６２ａの他に、消耗品管理情報データベース６２ｂ（図中では、「消耗品管理情報ＤＢ」と略記）を有する。消耗品管理情報データベース６２ｂには、消耗品識別情報４１ａと装置識別情報３３ａが関連付けて記憶されており、この消耗品管理情報データベース６２ｂにより、装置２毎に消耗品４の使用状況が管理される。そして、管理サーバ６は、通信端末５から受信した消耗品識別情報４１ａ及び装置識別情報３３ａに対応する消耗品管理情報を通信端末５に配信する。このように、消耗品識別情報４１ａ及び装置識別情報３３ａに対応して管理サーバ６の消耗品管理情報データベース６２ｂから読み出された消耗品管理情報のレコードを「消耗品管理情報」と呼ぶ。
【００５９】
通信端末５は、管理サーバ６から消耗品識別情報４１ａ及び装置識別情報３３ａに対応する消耗品管理情報を受信すると、この消耗品管理情報を出力部５５に出力する。
【００６０】
ここで、サーバ側通信部６１は、消耗品管理情報データベース６２ｂに格納されていない消耗品識別情報４１ａを受信した場合に、消耗品識別情報４１ａを受信した時点から消耗品４の使用が開始されたとして、この受信した日時を使用開始日時として管理する。そして、消耗品管理情報データベース６２ｂに、使用開始日時に消耗品４の消耗品寿命を加算した消耗品４の使用終了日時と、使用開始日時からの経過日時を消耗品寿命から減じた消耗品残時間が格納される。このようにして管理サーバ６は、消耗品４の使用状況を管理する。なお、無線送信装置３Ａから消耗品４の使用時間を含む情報が送信されることにより、消耗品管理情報データベース６２ｂが装置２毎に消耗品４の使用時間を管理することもできる。
【００６１】
そして、サーバ側通信部６１は、消耗品残時間が所定値未満となったときに、消耗品管理情報データベース６２ｂに格納された消耗品情報及び消耗品管理情報を通信端末５に配信する。
通信端末５は、管理サーバ６から受信した消耗品情報及び消耗品管理情報を出力部５５に出力する。こうして、消耗品情報と共に、消耗品管理情報データベース６２ｂに格納された消耗品管理情報が通信端末５上に表示されることにより、消耗品４の購入及び交換が通信端末５を保持するユーザに促される。
【００６２】
図８は、消耗品管理情報データベース６２ｂのデータ構造の例を示す説明図である。消耗品管理情報データベース６２ｂは、消耗品識別情報及び装置識別情報毎に作成されるものとする。
【００６３】
消耗品管理情報データベース６２ｂは、消耗品識別情報、装置識別情報、消耗品管理情報の各フィールドによって構成される。
消耗品識別情報フィールドには、消耗品４毎に割り振られる特定の消耗品識別情報４１ａが格納される。
装置識別情報フィールドには、装置２又は無線送信装置３Ａ毎に割り振られる特定の装置識別情報３３ａが格納される。
消耗品管理情報フィールドには、装置２に取り付けられた消耗品４を管理するための各種の情報が格納される。
【００６４】
消耗品管理情報フィールドは、使用開始日時、消耗品寿命、消耗品寿命残時間の各フィールドによって構成される。
使用開始日時フィールドには、消耗品４の使用開始日時（Ｔ１）が格納される。
消耗品寿命フィールドには、消耗品４の消耗品寿命（ＬＴ１）が格納される。
消耗品寿命残時間フィールドには、消耗品４を使用可能な残時間（ＴＲ１）が格納される。例えば、消耗品寿命残時間フィールドには、使用開始日時（Ｔ１）よりカウントされる経過日時を消耗品寿命（ＬＴ１）から減じた値が格納されている。
【００６５】
このように消耗品管理情報データベース６２ｂには、消耗品識別情報と装置識別情報とが関連付けて格納されているため、例えば、消耗品寿命残時間がなくなった使用済の消耗品４が装置２に取り付けられた場合には、これを即座に認識することができる。
例えば、過去に装置２に取り付けられていた消耗品４の消耗品識別情報が「Ｅ−００１」で、装置識別情報が「Ｄ−００１」であった場合に、同じ「Ｅ−００１」の消耗品識別情報を有する消耗品４が、「Ｄ−００４」の装置識別情報を有する別の装置２に取り付けられたとする。
このように別の装置２に取り付けられた消耗品４は、本来使用済として廃棄されるべきものであるが、非正規品の場合には再生品として販売されることがある。このため、通信端末５を通じてユーザに正規の消耗品４を購入するよう注意喚起することが望ましい。
【００６６】
また、例えば、装置２がプリンタであって、消耗品４がインクカートリッジであった場合に、消耗品管理情報データベース６２ｂによって管理される消耗品寿命残時間がなくなったにも関わらず、消耗品４が使用され続けていれば、インクを詰め替えた消耗品４が使用されていると考えられる。
仮に、消耗品４に詰め替えられたインクが正規に販売されているものでなければ、この場合においても、通信端末５を通じてユーザに正規の消耗品４を購入するよう注意喚起することができる。
【００６７】
また、複数の装置２で使われている消耗品４の消耗品管理情報が同じ値であれば、いずれかの消耗品４はコピー品であると考えられる。この場合、通信端末５を通じてユーザにコピーされた消耗品４が使用されている旨を注意喚起することができる。
【００６８】
図９は、消耗品管理情報データベース６２ｂの表示例を示す説明図である。
通信端末５は、管理サーバ６から配信された消耗品管理情報に、消耗品４の残時間が規定値未満であることが示されている場合に、消耗品寿命と共に、消耗品４の購入に関する情報を出力部５５に出力する。
【００６９】
図９Ａには、消耗品寿命残時間が１週間（２４×７時間）未満になったときに、ユーザに消耗品４の購入を促す画面の表示例が示されている。このとき、通信端末５の出力部５５には、消耗品識別情報表示エリア５５ａ、消耗品管理情報表示エリア５５ｇ、注文ボタン５５ｃが表示される。
【００７０】
消耗品管理情報表示エリア５５ｇには、消耗品４の消耗品寿命の他、消耗品寿命の残日数、消耗品４の使用終了日が表示される。このため、ユーザは、消耗品４の寿命が終了する前に、注文ボタン５５ｃをタップして消耗品４を購入することができる。
【００７１】
図９Ｂには、再生品である消耗品４が使用されている場合には、その旨をユーザに注意するための情報を示す画面の表示例が示されている。このとき、通信端末５の出力部５５には、警告表示エリア５５ｄ、注意喚起表示エリア５５ｅ、注文ボタン５５ｆが表示される。
【００７２】
警告表示エリア５５ｄには、装置２に取り付けられた消耗品４が再生品であることをユーザに通知するメッセージが表示される。
注意喚起表示エリア５５ｅには、再生品である消耗品４を使用することによる影響をユーザに通知するメッセージが表示される。
なお、消耗品４がコピー品である場合には、警告表示エリア５５ｄ、注意喚起表示エリア５５ｅにそれぞれ消耗品４がコピー品であることを示すメッセージが表示される。
【００７３】
以上説明した第２の実施の形態例に係る消耗品情報管理システム１Ａによれば、装置２に消耗品４が取り付けられると、管理サーバ６は、消耗品４の使用開始日時として管理する。さらに管理サーバ６は、使用開始日時と消耗品寿命に基づいて、消耗品４の使用終了日時、消耗品寿命残時間を管理することができる。そして、管理サーバ６は、消耗品寿命残時間が規定値未満になると、消耗品４の使用終了日時、消耗品寿命残時間を通信端末５に配信することで、ユーザに消耗品４の購入を促すことができる。
【００７４】
また、管理サーバ６は、消耗品識別情報４１ａと共に装置識別情報３３ａを関連付けて消耗品管理情報データベース６２ｂに格納することにより、ある消耗品４がある装置２において使用中であることを管理できる。このデータを用いれば、装置２に対応していない消耗品４が使われている場合に、通信端末５を通じてユーザに注意を喚起することができる。また、消耗品４がコピー等されたことにより同一の消耗品識別情報４１ａを有する消耗品４が装置２に使用されていたとしても、このような消耗品４を使用している装置２を特定することができる。
【００７５】
［３．第３の実施の形態例］
次に、本発明の第３の実施の形態例に係る消耗品情報管理システム１Ｂについて説明する。消耗品情報管理システム１Ｂでは、無線送信装置３Ｂが、装置２に取り付けられた消耗品４が正規品であるか非正規品であるかの判定（以下、「正規・非正規判定」とも呼ぶ。）を行い、通信端末５を保持するユーザに判定結果を提供する。
【００７６】
図１０は、消耗品情報管理システム１Ｂの各部の詳細な内部構成例を示すブロック図である。
【００７７】
消耗品情報管理システム１Ｂは、消耗品情報管理システム１と同様に装置２、通信端末５、管理サーバ６を備える。
装置２に取り付けられる無線送信装置３Ｂは、読み取り部３１、近距離無線送信部３２、記憶部３３の他に、判定部３４を備える。
【００７８】
記憶部３３は、無線送信装置３Ｂが取り付けられる装置２が使用する消耗品４に対応した消耗品情報データベース３３ｂ（図中では、「消耗品情報ＤＢ」と略記）を有する。消耗品情報データベース３３ｂは、第１の実施の形態例に係る管理サーバ６の記憶部６２が備える消耗品情報データベース６２ａと同じデータ構造、内容であり、消耗品情報データベース３３ｂには、消耗品識別情報４１ａに対応する消耗品情報が関連付けられて記憶されている。
【００７９】
判定部３４は、装置２に消耗品４が取り付けられると、消耗品４の正規・非正規判定を行い、判定結果を近距離無線送信部３２に出力する。このとき、判定部３４は、読み取り部３１が消耗品記憶部４１から読み取った消耗品識別情報４１ａと同じ消耗品識別情報が、記憶部３３の消耗品情報データベース３３ｂに格納されているか検索する。
消耗品情報データベース３３ｂに消耗品識別情報４１ａと同じ消耗品識別情報が格納されていれば、消耗品４は正規品であり、消耗品情報データベース３３ｂに同じ消耗品識別情報がなければ消耗品４は非正規品であると判定される。そして、判定部３４は、消耗品４が正規品であると判定すれば、記憶部３３の消耗品情報データベース３３ｂから消耗品識別情報４１ａに対応する消耗品情報を取得し、消耗品情報を近距離無線送信部３２に出力する。
【００８０】
近距離無線送信部３２は、判定部３４が判定した消耗品４の判定結果と、判定部３４が消耗品情報データベース３３ｂから取得した消耗品識別情報４１ａに対応する消耗品情報とをビーコン信号の所定領域に設定し、このビーコン信号を送信する。
【００８１】
通信端末５の近距離無線受信部５１は、無線送信装置３Ｂからビーコン信号を受信すると、ビーコン信号より、消耗品４の判定結果、消耗品情報を取り出す。
そして、処理部５２は、出力部５５に消耗品４の判定結果及び消耗品情報を出力することができる。
【００８２】
図１１は、無線送信装置３Ｂの処理例を示すフローチャートである。
図１１に示す処理において、ステップＳ２１〜Ｓ２３までの処理は、図３のステップＳ１〜Ｓ３までの処理と同様であるため、詳細な説明を省略する。
【００８３】
ステップＳ２３にて、読み取り部３１が消耗品記憶部４１から消耗品識別情報４１ａを取得できなかった場合（Ｓ２３のＮＯ）、判定部３４は、消耗品識別情報４１ａを取得できなかった旨の判定結果を近距離無線送信部３２に通知する。この判定結果が通知された近距離無線送信部３２は、消耗品識別情報が設定されるビーコン信号の所定領域に「Ｅ−０００（情報なし）」を設定する（Ｓ２４）。
【００８４】
一方、読み取り部３１が消耗品識別情報４１ａを取得できた場合（Ｓ２３のＹＥＳ）、判定部３４は、取得した消耗品識別情報４１ａが正規の消耗品４を示すものであるか否かを判定する（Ｓ２５）。判定部３４は、消耗品識別情報４１ａが正規の消耗品４を示すものと判定した場合（Ｓ２５のＹＥＳ）、近距離無線送信部３２は、消耗品識別情報が設定されるビーコン信号の所定領域に「正規」と設定する（Ｓ２６）。一方、判定部３４は、消耗品識別情報４１ａが正規の消耗品４を示さないと判定した場合（Ｓ２５のＮＯ）、近距離無線送信部３２はビーコン信号の所定領域に「非正規」と設定する（Ｓ２７）。
【００８５】
そして、近距離無線送信部３２は、消耗品識別情報が設定される所定領域に特定の値が設定されたビーコン信号を送信する（Ｓ２８）。
【００８６】
以上説明した第３の実施の形態例に係る消耗品情報管理システム１Ｂによれば、無線送信装置３Ｂが有する記憶部３３の消耗品情報データベース３３ｂにより、判定部３４は、読み取り部３１が読み取った消耗品識別情報４１ａを用いて、消耗品４の正規・非正規判定を行うことができる。
そして、近距離無線送信部３２は、判定部３４による消耗品４の正規・非正規判定の判定結果と、消耗品情報データベース３３ｂから読み出した消耗品情報とを含むビーコン信号を送信する。通信端末５は、無線送信装置３Ｂから受信したビーコン信号から取得した消耗品識別情報４１ａと消耗品情報を出力部５５に出力する。
【００８７】
なお、消耗品情報はデータ量が多いため、判定部３４が記憶部３３から読み取った消耗品情報を全て送信できない場合がある。この場合には、判定部３４は、判定した消耗品４の判定結果だけを含むビーコン信号を送信する。そして、通信端末５は、第１及び第２の実施の形態例と同様に、管理サーバ６から配信される消耗品情報を受信し、出力部５５に出力する。また、無線送信装置３Ｂは、例えば、管理サーバ６など外部機器との間で通信し、記憶部３３内の消耗品情報データベース３３ｂを更新するための機能を有していてもよい。一例として、無線送信装置３Ｂは、通信端末５との間で近距離無線通信を行い、通信端末５が管理サーバ６から受信した最新の消耗品情報を取得して、消耗品情報データベース３３ｂを更新してもよい。このような無線送信装置３Ｂの機能により、無線送信装置３Ｂの設置後に新しく正規の消耗品が製造された場合であっても、記憶部３３の消耗品情報データベース３３ｂにその情報が含まれていないことから、非正規品と判断されてしまうという事態を防止することができる。
【００８８】
［４．変形例］
なお、本発明の消耗品情報管理システムには、様々な変形例が考えられる。以下に、消耗品情報管理システムの代表的な変形例について説明する。
図１２は、消耗品情報管理システムの変形例を示すブロック図である。
【００８９】
図１２Ａは、第１の変形例に係る消耗品情報管理システム１Ｃの構成例を示すブロック図である。
消耗品情報管理システム１Ｃは、装置２、無線送信装置３の他に、不図示の通信端末５、管理サーバ６を備える。
上述したように、本発明の第１の実施の形態例において、装置２に無線送信装置３が取り付けられていたが、図１２Ａに示す変形例では、無線送信装置３は装置２から離して配置される。つまり、この変形例では、無線送信装置３は、読み取り部３１が消耗品記憶部４１から消耗品識別情報４１ａを読み取り可能な範囲内で設置されている。
ここでは、この無線送信装置３は、装置２の外部に設置可能な形状とする。これにより装置２から離れた場所に無線送信装置３を設置することができる。
【００９０】
図１２Ｂは、第２の変形例に係る消耗品情報管理システム１Ｄの構成例を示すブロック図である。
消耗品情報管理システム１Ｄは、装置２Ａの他に、不図示の通信端末５、管理サーバ６を備える。
第２の変形例に係る装置２Ａは、読み取り部２１及び近距離無線送信部２２を備える。
読み取り部２１、近距離無線送信部２２は、例えば、装置２Ａの回路基板に組み込まれており、無線送信装置３が備える読み取り部３１、近距離無線送信部３２と同様の機能を有している。このように無線送信装置３の機能を装置２Ａが有することにより、ユーザは装置２Ａに対する無線送信装置３の取り付けの有無を意識することなく、装置２Ａから消耗品４の消耗品情報を得ることができる。
【００９１】
また、図示しないが、通信端末５が備える記憶部５３が、消耗品識別情報４１ａに対応する消耗品情報を関連付けて記憶する消耗品情報データベースを有するようにしてもよい。この場合、出力部５５には、記憶部５３から読み出された、近距離無線受信部５１が受信した消耗品識別情報４１ａに対応する消耗品情報が出力される。このため、通信端末５は、管理サーバ６に消耗品情報の配信を要求する必要がなく、ネットワークＮの負荷を低減することができる。
【００９２】
また、上述した各実施の形態例において装置の一例として浄水器としての装置２を用いたが、そのほかにもプリンタ、空気清浄機、便器等であってもよい。この場合には、消耗品４としては、インクカートリッジ、空調フィルタ、脱臭フィルタ等が考えられる。
【００９３】
なお、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細かつ具体的に説明したものであり、必ずしも説明した全ての構成を備えるものに限定されない。また、ここで説明した実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９４】
１…消耗品情報管理システム、２…装置、３…無線送信装置、４…消耗品、５…通信端末、６…管理サーバ、３１…読み取り部、３２…近距離無線送信部、５１…近距離無線受信部、５２…処理部、５４…端末側通信部、５５…出力部、５６…入力部、６１…サーバ側通信部、６２…記憶部
【図１】
2017059867.tif 000003
【図２】
2017059867.tif 000004
【図３】
2017059867.tif 000005
【図４】
2017059867.tif 000006
【図５】
2017059867.tif 000007
【図６】
2017059867.tif 000008
【図７】
2017059867.tif 000009
【図８】
2017059867.tif 000010
【図９】
2017059867.tif 000011
【図１０】
2017059867.tif 000012
【図１１】
2017059867.tif 000013
【図１２】
2017059867.tif 000014